【手続補正書】
【提出日】平成19年8月6日(2007.8.6)
【手続補正１】
【補正対象書類名】特許請求の範囲
【補正対象項目名】全文
【補正方法】変更
【補正の内容】
【特許請求の範囲】
【請求項１】
長手形状のハウジング、
前記ハウジングの長手方向に沿った第１面の、当該長手方向の一方端側に設けられる第１操作部、
前記ハウジングの前記第１面とは反対の第２面に設けられる第２操作部、
前記ハウジングの前記第２操作部から前記長手方向に沿った他方端方向に形成される把持部、および、
前記ハウジングの前記一方端に設けられ、かつ前記長手方向に沿った方向を撮像可能に設けられた撮像手段を備える、
ゲーム用操作装置。
【請求項２】
前記第１操作部および前記第２操作部は前記ハウジングの前記第１面および前記第２面において互いに対応する位置にそれぞれ配置した、請求項１記載のゲーム用操作装置。
【請求項３】
前記第１操作部および前記第２操作部は前記撮像手段の近傍に設けられる、請求項１または２記載のゲーム用操作装置。
【請求項４】
前記ハウジングに形成された凹部をさらに備え、
前記第２操作部は前記凹部に設けられる、請求項１ないし３のいずれかに記載のゲーム用操作装置。
【請求項５】
前記凹部は、前記把持部側に傾斜する第１傾斜面と、前記把持部とは反対側に傾斜する第２傾斜面とを含んで構成され、
前記第２操作部は前記凹部の第１傾斜面に設けられる、請求項４記載のゲーム用操作装置。
【請求項６】
前記凹部は、前記第２傾斜面の前記第１面に対する傾斜角度が前記１傾斜面の前記第１面に対する傾斜角度よりも小さくなるように、形成される、請求項５記載のゲーム用操作装置。
【請求項７】
前記凹部は、前記第１面にほぼ平行な平行面と、当該平行面と前記把持部との間の傾斜面とを少なくとも含み、
前記第２操作部は前記傾斜面に設けられる、請求項４記載のゲーム用操作装置。
【請求項８】
前記ハウジング内の前記把持部に相当する位置に設けられるバイブレータをさらに備える、請求項１ないし７のいずれかに記載のゲーム用操作装置。
【請求項９】
前記ハウジング内の前記把持部に相当する位置に設けられる電池をさらに備える、請求項１ないし８のいずれかに記載のゲーム用操作装置。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
請求項２の発明は、第１操作部および第２操作部はハウジングの第１面および第２面において互いに対応する位置にそれぞれ配置した、請求項１記載のゲーム用操作装置であるである。
【手続補正５】
【補正対象書類名】明細書
【補正対象項目名】００１５
【補正方法】変更
【補正の内容】
【００１５】
請求項２の発明では、第１操作部（２６；４２）と第２操作部（４２；２８）とを位置的に対応させてハウジングの第１面および第２面に配置している。そのため、第１面上の第１操作部を操作するときには第２面側の人差し指でハウジングを支持し、第２面の第２操作部を操作するときは第１面側の親指でハウジングを支持するので、操作が一層安定するとともに、ハウジングを親指と人差し指とで挟んだ状態でその撮像手段（５６）の指示方向を変更するように操作できるので、撮像手段の指示方向が一層認識または把握し易くなる。
【手続補正６】
【補正対象書類名】明細書
【補正対象項目名】００１６
【補正方法】変更
【補正の内容】
【００１６】
請求項３の発明は、第１操作部および第２操作部は撮像手段の近傍に設けられる、請求項1または２のいずれか記載のゲーム用操作装置である。
【手続補正７】
【補正対象書類名】明細書
【補正対象項目名】００１７
【補正方法】変更
【補正の内容】
【００１７】
請求項３の発明では、第１操作部（２６；４２）や第２操作部（４２；２８）の近傍に撮像手段（５６）を設けるので、撮像手段の指示方向がさらに認識し易い。請求項５の発明は、ハウジングに形成された凹部をさらに備え、第２操作部は凹部に設けられる、請求項１ないし３のいずれかに記載のゲーム用操作装置である。
【手続補正８】
【補正対象書類名】明細書
【補正対象項目名】００１８
【補正方法】変更
【補正の内容】
【００１８】
請求項４の発明では、ハウジング（１２）の、たとえば第２面に、凹部（３４）を形成し、その凹部に第２操作部（４２；２８）を配置する。したがって、人差し指をその凹部に配置しておくことができるので、第２操作部を素早く、確実に操作できる。
【手続補正９】
【補正対象書類名】明細書
【補正対象項目名】００１９
【補正方法】変更
【補正の内容】
【００１９】
請求項５の発明は、凹部は、把持部側に傾斜する第１傾斜面と、把持部とは反対側に傾斜する第２傾斜面とを含んで構成され、第２操作部は凹部の第１傾斜面に設けられる、請求項４記載のゲーム用操作装置である。
【手続補正１０】
【補正対象書類名】明細書
【補正対象項目名】００２０
【補正方法】変更
【補正の内容】
【００２０】
請求項５の発明では、凹部（３４）は把持部（１８）の方向に延びる第１傾斜面（３８）とそれとは反対側に延びる第２傾斜面（４０）とを含み、その把持部側の傾斜面（３８）に第２操作部（４２；２８）が配置される。したがって、凹部においた人差し指を把持部側に曲げるだけで、第２操作部を素早く、確実に操作できる。
【手続補正１１】
【補正対象書類名】明細書
【補正対象項目名】００２１
【補正方法】変更
【補正の内容】
【００２１】
請求項６の発明は、凹部は、第２傾斜面の第１面に対する傾斜角度が１傾斜面の第１面に対する傾斜角度よりも小さくなるように、形成される、請求項５記載のゲーム用操作装置である。
【手続補正１２】
【補正対象書類名】明細書
【補正対象項目名】００２２
【補正方法】変更
【補正の内容】
【００２２】
請求項６の発明では、第１傾斜面（３８）の傾斜角度より第２傾斜面（４０）の傾斜角度の方が小さくなるように設定されているので、両手持ちのときに持ち易くなるし、第２操作部から人差し指を離すときに、確実に離せるようになるという利点がある。
【手続補正１３】
【補正対象書類名】明細書
【補正対象項目名】００２３
【補正方法】変更
【補正の内容】
【００２３】
請求項７の発明は、凹部は、第１面にほぼ平行な平行面と、当該平行面と把持部との間の傾斜面とを少なくとも含み、第２操作部は傾斜面に設けられる、請求項４記載のゲーム用操作装置である。
【手続補正１４】
【補正対象書類名】明細書
【補正対象項目名】００２４
【補正方法】変更
【補正の内容】
【００２４】
請求項７の発明では、凹部（３４）は、たとえば谷（３６）を含み、その谷の底部は第１面とほぼ平行な平行面となっていて、他方、把持部（１８）はハウジングの後方側に設けられる。したがって、谷の底部と把持部とを結ぶ傾斜面（３８）が形成されることになり、第２操作部（２６）はその傾斜面に設置される。そのため、第２操作部は人差し指を曲げるときに自然に操作できる。
【手続補正１５】
【補正対象書類名】明細書
【補正対象項目名】００２５
【補正方法】変更
【補正の内容】
【００２５】
請求項８の発明は、ハウジング内の把持部に相当する位置に設けられるバイブレータをさらに備える、請求項１ないし７のいずれかに記載のゲーム用操作装置である。
【手続補正１６】
【補正対象書類名】明細書
【補正対象項目名】００２６
【補正方法】変更
【補正の内容】
【００２６】
請求項８の発明では、バイブレータ（８０）を、ハウジング（１２）の長手方向において撮像手段（５６）と反対側に配置したので、バイブレータの振動が撮像手段による画像撮影に悪影響を与える可能性が小さい。つまり、バイブレータと撮像手段との間の距離が大きくなるので、バイブレータの振動で撮像手段の撮像素子がぶれたりするのが、可及的抑制できる。
【手続補正１７】
【補正対象書類名】明細書
【補正対象項目名】００２７
【補正方法】変更
【補正の内容】
【００２７】
請求項９の発明は、ハウジング内の把持部に相当する位置に設けられる電池をさらに備える、請求項１ないし８のいずれかに記載のゲーム用操作装置である。
【手続補正１８】
【補正対象書類名】明細書
【補正対象項目名】００２８
【補正方法】変更
【補正の内容】
【００２８】
請求項９の発明では、ハウジング（１２）の把持部（１８）の範囲に、比較的重量物である電池（７８）を収納するようにしたので、重心Ｇ（図２（Ｂ））がこの把持部の範囲に確実に含まれることになり、把持部を把持した状態で撮像手段の指示方向を変更する場合、安定して行なえる。